(57)【要約】  消火器の作動装置，より詳細には，圧縮された密封効果を有する非常に簡単な構造から成り，正確かつ迅速な作動で多量の消火剤を噴射する消火器の作動装置を提供する。
2010517664.tif 000002
【特許請求の範囲】
【請求項１】
消火剤が収容された容器の上部に配置され，前記消火剤を案内する，噴射ホースと連通する流路（１６）を設けたハウジング（１５）と，前記ハウジング（１５）の上部に配置されたレバー（２５）の作動によって前記流路（１６）を開閉する開閉部材とを備えた消火器の作動装置において，
前記レバー（２５）は，前記ハウジング（１５）の上部に固定される固定レバー（２６）と，一側が前記固定レバー（２６）に連結される，回動可能な回動レバー（２７）とを備え，
前記開閉部材は，前記ハウジング（１５）の前記流路（１６）に配置され，前記流路（１６）を開放又は閉塞する，中心部に貫通孔を有する開閉ボール（３０）と，前記開閉ボール（３０）の外周面に連結されて，前記ハウジング（１５）の上部に貫通して突出するボール制御シャフト（３２）と，前記ボール制御シャフト（３２）に連結されて，前記固定レバー（２６）の内側に配置され，外周面に摺動溝（３５）が形成された回動杆（３４）と，前記回動杆（３４）の外周面に配置されて，上昇又は下降しながら前記回動杆（３４）を回動させるように前記回動レバー（２７）の内側に連結手段によって連結される固定要素（３６）と，前記固定要素（３６）に弾性力を付与する，前記回動杆（３４）の周囲に設けられるバネ（３８）とを備えたことを特徴とする消火器の作動装置。
【請求項２】
前記連結手段は，前記回動レバー（２７）の両内壁から所定高さ突出された連結突起（２８）と，前記連結突起（２８）が挿入され，前記固定要素（３６）の外壁に所定深さに形成された連結孔（２９）とを備え，前記連結手段が前記回動レバー（２７）の回動角度に関係なく，前記回動杆（３４）の外周面に配置される請求項１記載の消火器の作動装置。
【発明の詳細な説明】
【技術分野】
【０００１】
本発明は，消火器の作動装置に関し，より詳細には，圧縮された密封効果を有する非常に簡単な構造から成ると共に，正確かつ迅速な作動で，多量の消火剤を噴射する消火器の作動装置に関する。
【背景技術】
【０００２】
消火器は火災が発生したとき，誰でも手早くこれを消火して，火災による人命被害を未然に防止するように，住宅，食堂及び他の場所に備えられている。そのような消火器は，通常，所定寸法を有し，消火剤が収容された容器と，前記容器の上部に設けた消火剤の噴射を制御するレバー部材と，前記レバー部材の制御により消火剤を噴射する噴射ホースとを備える。
【０００３】
前記レバー部材は，一対の取っ手と，前記取っ手によって作動するとき，容器を開閉させる開閉孔とを備える。前記取っ手には不注意な作動を防止するためのピンが設けられている。
【０００４】
大韓民国公開実用新案公報第２０００−００１８９１１号（２０００年１０月２５日；考案の名称：「消火器用バルブの作動体」）の図４ａ及び図４ｂを参照すると，作動レバーの圧力で押出チップがスピンドルを押出して，バネが収縮され，このとき，シリンダーに収容される消火剤は，シリンダー内部とシリンダー外部の気圧差によって吐出孔と所定空間を順次に通過した後，噴射ホースを通じて外部に噴射される。
【０００５】
しかし，このような消火器は複数の部品が必要になり，その構造が複雑で，消火剤の適切な噴射作動が難しい。さらに，密封性能を保持することが困難であると共に，作動時の消火剤の噴射流量が少ない。したがって，初期消火が困難である。ゴムパッキングの経年劣化により密封性能が損なわれ，緊急時に消火剤の噴射の失敗が起こる。したがって，火災が広がり消火に相当時間がかかることとなり，財産及び人命被害が増すリスクがあった。
【発明の開示】
【発明が解決しようとする課題】
【０００６】
本発明は従来技術の前記問題点を解決するために成されたものであり，圧縮された密封効果を有する簡単な構造から成り，又，正確かつ迅速な作動で多量の消火剤を噴射することにより，作動の信頼性を向上させることができる消火器の作動装置を提供することを目的とする。
【課題を解決するための手段】
【０００７】
上記目的を達成するための本発明の構成は，消火剤が収容された容器の上部に配置され，消火剤を案内する，噴射ホースと連通する流路を備えたハウジングと，前記ハウジングの上部に配置されたレバーの作動によって前記流路を開閉する開閉部材とを備えた消火器の作動装置において，前記レバー２５は，前記ハウジング１５の上部に固定される固定レバー２６と，一側が前記固定レバー２６に連結される回動可能な回動レバー２７とを備え，前記開閉部材は，前記ハウジング１５の流路１６に配置され，前記流路１６を開放又は閉塞する，中心部に貫通孔を有する開閉ボール３０と，前記開閉ボール３０の外周面に連結されて，前記ハウジング１５の上部に貫通して突出するボール制御シャフト３２と，前記ボール制御シャフト３２に連結されて，前記固定レバー２６の内側に配置され，外周面に摺動溝３５が形成された回動杆３４と，前記回動杆３４の外周面に配置されて，上昇又は下降しながら前記回動杆３４を回動させるように，前記回動レバー２７の内側に連結手段によって連結される固定要素３６と，前記固定要素３６に弾性力を付与する，前記回動杆３４の周囲に設けられるバネ３８とを備えたことを特徴とする。
【０００８】
ここで，前記連結手段は，前記回動レバー２７の両内壁から所定高さに突出された連結突起２８と，前記連結突起２８が挿入され，前記固定要素３６の外壁に所定深さに形成された連結孔２９とを備え，前記連結手段が前記回動レバー２７の回動角度に関係なく，前記回動杆３４の外周面に配置される。
【０００９】
前記固定レバー２６と回動レバー２７との間には，回動防止紐４０が配置され，前記回動レバー２７が外れないように前記固定レバー２６と回動レバー２７との間の間隔を制御する。さらに，前記回動レバー２７の内側には，前記固定要素３６の上部を支持して，前記回動レバー２７の圧力による前記連結手段及び固定要素３６の破損を防止するよう，別途の支持板４２がさらに配置されてもよい。
【図面の簡単な説明】
【００１０】
【図１】本発明の実施形態による消火器の作動装置の開閉部材を示す分解斜視図。
【図２】本発明の実施形態による流路が開放された状態における噴射作動装置を示す断面図。
【図３】本発明の実施形態による流路が閉塞された状態における噴射作動装置を示す断面図。
【図４】本発明の実施形態による固定要素と回動杆の連結状態を示す断面図。
【図５】本発明の実施形態による回動レバーに連結される固定要素を示す断面図。
【発明を実施するための最良の形態】
【００１１】
以下，添付図面を参照して本発明の消火器の作動装置を説明する。
【００１２】
図１は，本発明の実施形態による消火器の作動装置の開閉部材を示す分解斜視図であり，図２は，本発明の実施形態による流路が開放された状態における噴射作動装置を示す断面図であり，図３は，本発明の実施形態による流路が閉塞された状態における噴射作動装置を示す断面図であり，図４は，本発明の実施形態による固定要素と回動杆の連結状態を示す断面図であり，図５は，本発明の実施形態による回動レバーに連結される固定要素を示す断面図である。
【００１３】
図１〜図５を参照すると，消火器の作動装置は，消火剤が収容された容器１０の上部に配置され，消火剤を案内する，噴射ホース２０と連通する流路１６を含むハウジング１５と，前記ハウジング１５の上部に配置されたレバー２５の作動によって前記流路１６を開閉する開閉部材とを備える。
【００１４】
前記容器１０は，前記ハウジング１５の流路１６の一端に連通する消火剤パイプ１１を備え，前記噴射ホース２０は，前記流路１６の反対側と，前記消火剤パイプ１１と連通している。すなわち，前記噴射ホース２０は，容器１０の外部の前記流路１６に連通されている。
【００１５】
又，前記ハウジング１５は開閉部材を有する。前記開閉部材は前記流路１６を開閉するために，前記流路１６の上部に連通する孔を有する。
【００１６】
前記ハウジング１５の上部に配置された前記レバー２５は，前記ハウジング１５の上部に固定される固定レバー２６と，一側が前記固定レバー２６に連結される回動可能な回動レバー２７とを有する。
【００１７】
前記固定レバー２６と回動レバー２７との間には，前記回動レバー２７が固定レバー２６に関する通常の回動と反対方向に回動しないように，前記固定レバー２６と回動レバー２７との間の間隔を制御するための回動防止紐４０が設けられる。又，前記回動防止紐４０に代替して，前記固定レバー２６と回動レバー２７のヒンジ部に前記回動レバー２７の回動を防止するように，固定レバー２６から上部に突出する係止板（図示せず）を備えて構成してもよい。
【００１８】
前記開閉部材は，前記ハウジング１５の流路１６に配置され，前記流路１６を開放又は閉塞する，中心部に貫通孔を有する開閉ボール３０と，前記開閉ボール３０の外周面に連結されて，前記ハウジング１５の上部に貫通して突出するボール制御シャフト３２と，前記ボール制御シャフト３２に連結されて，前記固定レバー２６の内側に設けられ，外周面に摺動溝３５を有する回動杆３４と，前記回動杆３４の外周面に配置され，上昇又は下降しながら前記回動杆３４を回動させるように，前記回動レバー２７に連結手段によって連結される固定要素３６と，前記固定要素３６に弾性力を付与するために前記回動杆３４の周囲に設けられるバネ３８とを含む。
【００１９】
したがって，前記回動レバー２７の上部を押圧して前記固定レバー２６方向へ回動させると，前記固定要素３６が前記回動杆３４を回動させるために下降し，前記回動杆３４の回動によって，前記開閉ボール３０が回転して前記流路１６を開放する。前記回動レバー２７が解除されると，前記バネ３８による弾性力によって，前記固定要素３６が上昇して前記回動杆３４を再び回動させ，前記回動杆３４の回動によって，前記流路１６を閉塞するために前記開閉ボール３０を回転させる。
【００２０】
前記開閉ボール３０の両側には，密封効果を有することにより消火剤の漏出を防止するために，パッキング３１が配置されてもよい。すなわち，前記開閉ボール３０を挟持するよう配置されたパッキング３１は，前記ハウジング１５の流路１６に設けられる。消火剤の漏出を防止するために，前記開閉ボール３０の回転によって，前記流路１６を閉塞する。
【００２１】
前記回動杆３４の摺動溝３５は，回動杆３４の上側から回動杆３４の下側まで所定角度で傾斜して形成される。摺動溝３５は上側と下側の角度が９０゜になるように形成してもよい。前記摺動溝３５は互いに対峙するよう，前記回動杆３４の外周面に複数設けられてもよい。
【００２２】
前記固定要素３６は多角形形状であり，該多角形形状の外壁は，前記固定レバー２６の内周面に接触しており，それにより，前記固定要素３６が前記回動レバー２７の回動により押圧された場合は，前記固定要素３６は，前記回動杆３４の外周面上で回動しない。前記固定片３６の内周面は，前記摺動溝３５に挿入される案内突起３７を備える。
【００２３】
前記連結手段は，前記回動レバー２７の両内壁から所定高さ突出した連結突起２８と，該連結突起２８が挿入され，前記固定要素３６の外壁に所定深さに形成された連結孔２９を備える。したがって，前記連結部材は，前記回動レバー２７の回動角度に関係なく，前記回動杆３４の外周面に配置されてもよい。
【００２４】
前記固定要素３６は，上部が前記回動レバー２７の内側上部面に接触されるように，所定の高さを有する。したがって，前記回動レバー２７が回動すると，前記固定片３６は下降する。前記固定片３６の高さを小さく形成し，上部が前記回動レバー２７の内側上部面に接触しない場合には，前記回動レバー２７の内側に別途の支持板４２を配置して，前記固定要素３６の上部を支持することによって，前記回動レバー２７の圧力による前記連結手段と固定要素３６の破損を防止することもできる。
【００２５】
前記支持板４２は孔を有し，それにより，前記回動レバー２７が回動すると，前記支持板４２の中間部に前記回動杆３４が挿入される。
【００２６】
本発明の作用及び効果を，消火剤の噴射工程を通じて説明する。火災が発生した場合，まず，固定レバー２６及び回動レバー２７を固定させる安全ピン（図示せず）を引き抜き，その後，噴射ホース２０を火に向ける。それから，前記回動レバー２７を押圧して固定レバー２６の方向へ回動させる。
【００２７】
前記回動レバー２７が回動し，固定要素３６を下側方向へ押圧すると，前記固定要素３６は，回動杆３４を回動させるために下降する。ハウジング１５の流路１６に配置された開閉ボール３０が，回動杆３４の回動により，前記流路１６を開放するために回転する。したがって，容器１０内の消火剤を前記噴射ホース２０を通じて外部に噴射する。
【００２８】
火を完全に消し，前記回動レバー２７を解除すると，バネ３８の弾性力によって前記固定要素３６が上昇し，前記固定要素３６は回動杆３４上に上昇し，該回動杆３４を再び元の位置へ回動させる。又，前記回動杆３４の回動によって前記開閉ボール３０が回転し，前記流路１６を閉塞する。
【００２９】
消火剤の噴射は，前記回動レバー２７を押圧することによって迅速に行われる。したがって，初期消火が達成され，火災の拡散を防止することができる。
【産業上の利用可能性】
【００３０】
上述したように，本発明によれば，確実な圧縮された密封効果を有する，消火剤の容器の非常に簡単な構造が達成され，それにより，製造費用も低減する。さらに，多量の消火剤を正確かつ迅速に噴射させるようにして，作動の信頼性を向上させる。
【図１】
2010517664.tif 000003
【図２】
2010517664.tif 000004
【図３】
2010517664.tif 000005
【図４】
2010517664.tif 000006
【図５】
2010517664.tif 000007
【国際調査報告】
2010517664.tif 000008
2010517664.tif 000009